【手続補正書】
【提出日】平成30年7月24日(2018.7.24)
【手続補正１】
【補正対象書類名】明細書
【補正対象項目名】００２９
【補正方法】変更
【補正の内容】
【００２９】
コンデンサ１００３ａ，１００５ａ，１００７ａに記憶された電位（信号）は、水平選択回路１０４からの駆動パルスφＨＮ１，φＨａ１，φＨａｂ１によって制御されるスイッチ１００８ａ，１００９ａ，１０１０ａを介して読み出される。そして、スイッチ１００８ａに一方の入力を、スイッチ１００９ａおよび１０１０ａに他方の入力を接続された読み出しアンプ１０１１ａは、入力信号の差分を外部出力信号線１０１２ａに出力する。
同様に、コンデンサ１００３ｂ，１００５ｂ，１００７ｂに記憶された信号は、水平選択回路１０４からの駆動パルスφＨＮ２，φＨａ２，φＨａｂ２によって制御されるスイッチ１００８ｂ，１００９ｂ，１０１０ｂを介して読み出される。そして、スイッチ１００８ｂに一方の入力を、スイッチ１００９ｂおよび１０１０ｂに他方の入力を接続された読み出しアンプ１０１１ｂは、入力信号の差分を外部出力信号線１０１２ｂに出力する。
【手続補正２】
【補正対象書類名】明細書
【補正対象項目名】００３２
【補正方法】変更
【補正の内容】
【００３２】
まず、図２の左の１列２行（画素２０１ａおよび２０８ｃ）から信号を読み出す際の駆動パルスのタイミング制御について説明する。期間ｔ５０１に、制御回路１０６は、駆動パルスφＲＥＳ１ｎ，φＴＸ１Ａｎ，およびφＴＸ１Ｂｎを同時に高電位（以下「Ｈｉｇｈ」）にする。これにより、リセットスイッチ４０４ａと転送スイッチ２０５ａ，２０６ａがオンとなり、ＰＤ２０３ａ、ＰＤ２０４ａ、ＦＤ２０７ａの電位が電源電圧ＶＤＤにより初期電位にリセットされる。その後、制御回路１０６は、駆動パルスφＴＸ１ＡｎとφＴＸ１Ｂｎを低電位（以下「Ｌｏｗ」）にして、ＰＤ２０３ａ，２０４ａでの電荷蓄積を開始させる。同様に、制御回路１０６は、期間ｔ５０２に駆動パルスφＲＥＳ１ｎとφＴＸ３ｎ＋１を同時にＨｉｇｈにして、リセットスイッチ４０４ｃと転送スイッチ２１０ｃとをオンする。これにより、ＰＤ２０９ｃ、ＦＤ２０７ｃの電位が電源電圧ＶＤＤにより初期電位にリセットされる。その後、制御回路１０６は、駆動パルスφＴＸ３ｎ＋１をＬｏｗにし、ＰＤ２０９ｃでの電荷蓄積を開始させる。
【手続補正３】
【補正対象書類名】明細書
【補正対象項目名】００４３
【補正方法】変更
【補正の内容】
【００４３】
次に、図２の画素２０８ｂと２０１ｄから信号を読み出す際の駆動パルスのタイミング制御について説明する。期間ｔ５０１に、制御回路１０６は、駆動パルスφＲＥＳ２ｎとφＴＸ２ｎを同時にＨｉｇｈにする。これにより、リセットスイッチ４０４ｂと転送スイッチ２１０ｂがオンとなり、ＰＤ２０９ｂ、ＦＤ２０７ｂの電位が電源電圧ＶＤＤにより初期電位にリセットされる。その後、制御回路１０６は駆動パルスφＴＸ２ｎをＬｏｗにして、ＰＤ２０９ｂでの電荷蓄積を開始させる。同様に、制御回路１０６は、期間ｔ５０２に駆動パルスφＲＥＳ２ｎ＋１とφＴＸ４Ａｎ＋１，φＴＸ４Ｂｎ＋１を同時にＨｉｇｈにして、リセットスイッチ４０４ｄと転送スイッチ２０５ｄ，２０６ｄとをオンにする。これにより、ＰＤ２０３ｄ、ＰＤ２０４ｄ、ＦＤ２０７ｄの電位が電源電圧ＶＤＤにより初期電位にリセットされる。その後、制御回路１０６は、駆動パルスφＴＸ４Ａｎ＋１，φＴＸ４Ｂｎ＋１をＬｏｗし、ＰＤ２０３ｄ、ＰＤ２０４ｄでの電荷蓄積を開始させる。
【手続補正４】
【補正対象書類名】明細書
【補正対象項目名】００４７
【補正方法】変更
【補正の内容】
【００４７】
期間ｔ５１３の経過後、制御回路１０６は制御パルスφＨＮ２，φＨａｂ２をＨｉｇｈにする。これにより、第２ＰＤ信号からノイズ信号を減算したＰＤ２０９ｂの信号が、読み出しアンプ１０１１ａから出力される。なお、図２の左側の列の画素２０１ａ，２０８ｃと右側の列の画素２０８ｂ，２０１ｄとでは信号が読み出し回路１０３内のコンデンサに記憶されるタイミングが異なる。そのため、読み出し回路１０３の出力タイミングを制御する制御パルスφＨＮ１，φＨａ１，φＨａｂ１とφＨＮ２，φＨａ２，φＨａｂ２のタイミングも制御も異なっている。
【手続補正５】
【補正対象書類名】明細書
【補正対象項目名】００４８
【補正方法】変更
【補正の内容】
【００４８】
次に、制御回路１０６は、期間ｔ５１４の開始時に駆動パルスφＲＥＳ２ｎをＨｉｇｈにしてリセットスイッチ４０４ｂをオンする。これにより、ＦＤ２０７ｂの電位が電源電圧ＶＤＤにより初期電位にリセットされる。
次に、期間ｔ５１５の開始時に制御回路１０６は、駆動パルスφＳＥＬ２ｎ＋１をＨｉｇｈにし、画素２０１ｄの選択スイッチ４０２ｄをオンする。これにより、列出力線４０３ｂを通じてＦＤ２０７ｄから信号が読み出し可能になる。なお、制御回路１０６は、期間ｔ５１５の開始時に駆動パルスφＲＥＳ２ｎ＋１をＬｏｗにして、ＦＤ２０７ｄのリセットを解除する。期間ｔ５１５に信号を読み出すのは焦点検出用画素である。
【手続補正６】
【補正対象書類名】明細書
【補正対象項目名】００４９
【補正方法】変更
【補正の内容】
【００４９】
期間ｔ５１５の開始から遅れて、期間ｔ５１６に制御回路１０６は読み出し回路１０３の駆動パルスφＴＮ２をＨｉｇｈにして、スイッチ１００２ｂをオンにする。これにより、コンデンサ１００３ｂにＦＤ２０７ｄのリセット時の信号（ノイズ信号）が記憶される。
【手続補正７】
【補正対象書類名】明細書
【補正対象項目名】００５０
【補正方法】変更
【補正の内容】
【００５０】
次に、期間ｔ５１７に制御回路１０６は、駆動パルスφＴＸ４Ａｎ＋１とφＳａ２を同時にＨｉｇｈにし、転送スイッチ２０５ｄとスイッチ１００４ｂをオンする。これにより、ＰＤ２０３ｄの信号とノイズ信号との混合信号である第１ＰＤ信号がコンデンサ１００５ｂに記憶される。
【手続補正８】
【補正対象書類名】明細書
【補正対象項目名】００５９
【補正方法】変更
【補正の内容】
【００５９】
しかしながら、本実施形態では、同一行内に焦点検出用画素と撮像用画素とを混在させ、ＡＦ行と非ＡＦ行という区分はしていない。そのため、焦点検出用画素と撮像用画素とでリセット信号の読み出しから撮像信号の読み出しまでの時間が異なることに起因する焦点検出用画素のノイズが分散し、目立ちにくくなる。特に焦点検出用画素と撮像用画素の配列パターンが複数存在する本実施形態では、ノイズが一層分散される。この効果は、配列パターン間で焦点検出用画素の位置が重複しない場合や、同じ配列パターンが隣接しないように配置される場合により高くなる。
【手続補正９】
【補正対象書類名】明細書
【補正対象項目名】００６６
【補正方法】変更
【補正の内容】
【００６６】
同様に、制御回路１０６は、期間ｔ７０２に駆動パルスφＲＥＳ１ｍとφＴＸ３ｎ＋１を同時にＨｉｇｈにして、リセットスイッチ４０４ａと転送スイッチ２１０ｃとをオンする。これにより、ＰＤ２０９ｃ、ＦＤ２０７ｃの電位が電源電圧ＶＤＤにより初期電位にリセットされる。その後、制御回路１０６は、駆動パルスφＴＸ３ｎ＋１をＬｏｗにし、ＰＤ２０９ｃでの電荷蓄積を開始させる。
【手続補正１０】
【補正対象書類名】明細書
【補正対象項目名】００７６
【補正方法】変更
【補正の内容】
【００７６】
期間ｔ７０８開始後の期間ｔ７０９に制御回路１０６は制御パルスφＴＮ１をＨｉｇｈにし、コンデンサ１００３ａに、ＦＤ２０７ａのリセット時の信号（ノイズ信号）を読み出して記憶する。
その後、期間ｔ７１０に制御回路１０６は駆動パルスφＴＸ３ｎ＋１とφＳａｂ１を同時にＨｉｇｈにして転送スイッチ２１０ｃとスイッチ１００６ａをオンする。これにより、ＰＤ２０９ｃの信号とノイズ信号との混合信号がコンデンサ１００７ａに記憶される。この混合信号は、焦点検出用画素から読み出す第２ＰＤ信号と同様の信号であるため、便宜上、第２ＰＤ信号と呼ぶ。
【手続補正１１】
【補正対象書類名】明細書
【補正対象項目名】００７９
【補正方法】変更
【補正の内容】
【００７９】
同様に、制御回路１０６は、期間ｔ７０２に駆動パルスφＲＥＳ２ｍとφＴＸ４Ａｎ＋１，φＴＸ４Ｂｎ＋１を同時にＨｉｇｈにして、リセットスイッチ４０４ｂと転送スイッチ２０５ｄ，２０６ｄとをオンにする。これにより、ＰＤ２０３ｄ、ＰＤ２０４ｄ、ＦＤ２０７ｂの電位が電源電圧ＶＤＤにより初期電位にリセットされる。その後、制御回路１０６は、駆動パルスφＴＸ４Ａｎ＋１，φＴＸ４Ｂｎ＋１をＬｏｗし、ＰＤ２０３ｄ、ＰＤ２０４ｄでの電荷蓄積を開始させる。
【手続補正１２】
【補正対象書類名】明細書
【補正対象項目名】００８５
【補正方法】変更
【補正の内容】
【００８５】
次に、期間ｔ７１５の開始時に制御回路１０６は、駆動パルスφＳＥＬ２ｍはＨｉｇｈのまま画素２０１ｄの選択スイッチ４０２ｂのオン状態（ｎ行目の選択状態）を維持し、次の行（ｎ＋１行目）の信号の読み出し動作を開始する。なお、制御回路１０６は、期間ｔ７１５の開始時に駆動パルスφＲＥＳ２ｍをＬｏｗにして、ＦＤ２０７ｂのリセットを解除する。期間ｔ７１５に信号を読み出すのは焦点検出用画素である。
【手続補正１３】
【補正対象書類名】明細書
【補正対象項目名】００８７
【補正方法】変更
【補正の内容】
【００８７】
次に、期間ｔ７１７に制御回路１０６は、駆動パルスφＴＸ４Ａｎ＋１とφＳａ２を同時にＨｉｇｈにし、転送スイッチ２０５ｄとスイッチ１００４ｂをオンする。これにより、ＰＤ２０３ｄの信号とノイズ信号との混合信号である第１ＰＤ信号がコンデンサ１００５ｂに記憶される。
【手続補正１４】
【補正対象書類名】明細書
【補正対象項目名】００８９
【補正方法】変更
【補正の内容】
【００８９】
次に、リセットスイッチ４０４ｂをオンしない（φＲＥＳ２ｍがＬｏｗの）状態で制御回路１０６は、期間ｔ７１８に駆動パルスφＴＸ４Ａｎ＋１，φＴＸ４Ｂｎ＋１とφＳａｂ２を同時にＨｉｇｈにする。これにより、転送スイッチ２０５ｄ，２０６ｄと、スイッチ１００６ｂがオンし、ＰＤ２０３ｄの信号、ＰＤ２０４ｄの信号、そしてノイズ信号の混合信号である第２ＰＤ信号がコンデンサ１００７ｂに記憶される。制御回路１０６は期間ｔ７１７に駆動パルスφＴＸ４Ａｎ＋１をＨｉｇｈにしてＰＤ２０３ｄの信号をＦＤ２０７ｂに読み出しているので、期間ｔ７１８では駆動パルスφＴＸ４Ａｎ＋１はＬｏｗのままでもよい。
期間ｔ７１８の経過後に制御回路１０６は駆動パルスφＨＮ２，φＨａｂ２をＨｉｇｈにして、読み出し回路１０３からノイズ信号と第２ＰＤ信号との差分出力を開始する。
【手続補正１５】
【補正対象書類名】明細書
【補正対象項目名】０１０３
【補正方法】変更
【補正の内容】
【０１０３】
次に、図６の右側の１列２行（画素２０８ｂと２０１ｄ）から信号を読み出す際の駆動パルスのタイミング制御について説明する。期間ｔ７０１，ｔ７０２において、ＰＤ２０９ｂ，２０３ｄ，２０４ｄ及びＦＤ２０７ｂは初期電位にリセットされる。
【手続補正１６】
【補正対象書類名】明細書
【補正対象項目名】０１１３
【補正方法】変更
【補正の内容】
【０１１３】
変形例に係る駆動制御は、焦点検出用画素の信号読出の際に、１画素内の２つのＰＤの信号を順次読み出す。そのため、図７を用いて説明したような、１つのＰＤの信号を読み出し、その後、１つめのＰＤの信号に２つ目のＰＤの信号を混合して読み出す駆動制御よりもリセット信号の読み出し回数が増え、読出し時間は長くなる。
【手続補正１７】
【補正対象書類名】明細書
【補正対象項目名】０１１４
【補正方法】変更
【補正の内容】
【０１１４】
しかし、変形例においても、模式的な信号読み出し動作のシーケンスは図５（ｂ）のようになるため、従前の駆動制御（図５（ａ））と比較すれば全体的な信号読み出し時間の短縮は実現できる。この短縮は撮像用画素の信号読み出し時間の短縮によるものである。
【手続補正１８】
【補正対象書類名】明細書
【補正対象項目名】０１１６
【補正方法】変更
【補正の内容】
【０１１６】
このように、本発明によれば、撮像信号に縞状のノイズを増やすことなく、焦点検出用画素と撮像用画素の読み出しの高速化を可能としている。
【手続補正１９】
【補正対象書類名】図面
【補正対象項目名】図２
【補正方法】変更
【補正の内容】
【図２】
2017034606.tif 000001